(57)【要約】【課題】機械の稼動状況監視装置において、停止内容の入力作業を簡素化して高精度に機械の稼動状況を監視可能とする。【解決手段】印刷機の稼動状況を１日単位の棒グラフとして表示可能なディスプレイ１２と、印刷機から稼動内容の信号が入力可能な通信制御部１４と、オペレータにより停止内容を入力可能な操作入力部１３と、通信制御部１４により入力された稼動内容と操作入力部１３により入力された停止内容を表示部に表示させるコントローラ１１とを設け、コントローラ１１は、操作入力部１３により入力された停止内容を時間の経過に伴って継続表示する。【選択図】図３
2010221423.tif 000002
【特許請求の範囲】
【請求項１】
機械の稼動状況を１日単位の棒グラフとして表示可能な表示部と、
機械から稼動内容の信号が入力可能な信号入力部と、
オペレータにより停止内容を入力可能な操作入力部と、
前記信号入力部により入力された稼動内容と前記操作入力部により入力された停止内容を前記表示部に表示させる制御部とを備え、
前記制御部は、前記操作入力部により入力された停止内容を時間の経過に伴って継続表示する、
ことを特徴とする機械の稼動状況監視装置。
【請求項２】
前記制御部は、前記操作入力部により入力された停止内容を時間の経過に伴って継続表示するとき、信号入力部に機械からの稼動内容の信号が入力されると、停止内容の表示から稼動内容の表示に切換えることを特徴とする請求項１に記載の機械の稼動状況監視装置。
【請求項３】
前記表示部は、前記機械の稼動内容と停止内容を２４時間の棒グラフとして表示することを特徴とする請求項１または２に記載の機械の稼動状況監視装置。
【請求項４】
前記表示部は、初期画面として、前記機械の稼動内容と停止内容を２４時間の棒グラフとして表示する稼動状況表示部と、操作入力部をタッチボタンとして表示する操作表示部と、正紙枚数と不正紙枚数を表示する印刷枚数表示部とを有することを特徴とする請求項１から３のいずれか一つに記載の機械の稼動状況監視装置。
【請求項５】
前記表示部は、前記初期画面から画面を切換えることで、２４時間のうちの所定時間を予め設定された所定分単位で表示すると共に、過去の停止内容を書き込み可能な編集画面を表示可能であることを特徴とする請求項４に記載の機械の稼動状況監視装置。
【請求項６】
前記表示部は、前記初期画面から画面を切換えることで、所定期間における前記機械の稼働率を表示する稼働率表示画面を表示可能であることを特徴とする請求項４または５に記載の機械の稼動状況監視装置。
【発明の詳細な説明】
【技術分野】
【０００１】
本発明は、機械の稼働率などの稼動状況を監視してディスプレイに表示することができる機械の稼動状況監視装置に関するものである。
【背景技術】
【０００２】
機械、例えば、印刷機を効率良く運転するためには、オペレータ及び管理者がその運転状況を正しく監視し、稼働状況を調べる必要がある。即ち、印刷機が正常に稼動して印刷物を計画通りに印刷している場合や、版交換、洗浄、準備、故障などにより停止している場合があり、オペレータ及び管理者は、この状態を監視する必要がある。
【０００３】
従来の稼動状況監視装置としては、例えば、下記特許文献１に記載されたものがある。特許文献１に記載された機械の稼動状況監視装置では、ディスプレイの項目表示領域に表示項目をメニューとして常時表示し、タッチパネルスイッチを介して選択された特定の表示項目に対応する詳細内容をメモリから読出してディスプレイの内容表示領域に表示すると共に、クロック装置からのクロック信号を用いて機械の稼働状況入力及びディスプレイの表示を利用したタッチパネルスイッチによる入力をメモリに時系列的に追加記憶させると共に、ディスプレイの内容表示領域に時系列的に追加表示させている。
【先行技術文献】
【特許文献】
【０００４】
【特許文献１】特許第２９１８５５１号公報
【発明の概要】
【発明が解決しようとする課題】
【０００５】
上述した従来の機械の稼動状況監視装置にて、コントローラは、印刷機の信号に基づいてディスプレイに印刷機の稼動内容が時系列的に表示されるものの、印刷機の停止内容は、印刷作業の終了後に、作業者がタッチボタンを操作して入力する必要がある。この場合、作業者は、印刷機の停止時間や内容等を覚えているか、または、メモしなければならず、１日のうちに印刷機の停止回数が多数発生したとき、この入力作業が面倒となるばかりでなく、入力ミスが発生するおそれがある。
【０００６】
本発明は上述した課題を解決するものであり、停止内容の入力作業を簡素化して高精度に機械の稼動状況を監視可能とする機械の稼動状況監視装置を提供することを目的とする。
【課題を解決するための手段】
【０００７】
上記の目的を達成するための本発明の機械の稼動状況監視装置は、機械の稼動状況を１日単位の棒グラフとして表示可能な表示部と、機械から稼動内容の信号が入力可能な信号入力部と、オペレータにより停止内容を入力可能な操作入力部と、前記信号入力部により入力された稼動内容と前記操作入力部により入力された停止内容を前記表示部に表示させる制御部とを備え、前記制御部は、前記操作入力部により入力された停止内容を時間の経過に伴って継続表示する、ことを特徴とするものである。
【０００８】
本発明の機械の稼動状況監視装置では、前記制御部は、前記操作入力部により入力された停止内容を時間の経過に伴って継続表示するとき、信号入力部に機械からの稼動内容の信号が入力されると、停止内容の表示から稼動内容の表示に切換えることを特徴としている。
【０００９】
本発明の機械の稼動状況監視装置では、前記表示部は、前記機械の稼動内容と停止内容を２４時間の棒グラフとして表示することを特徴としている。
【００１０】
本発明の機械の稼動状況監視装置では、前記表示部は、初期画面として、前記機械の稼動内容と停止内容を２４時間の棒グラフとして表示する稼動状況表示部と、操作入力部をタッチボタンとして表示する操作表示部と、正紙枚数と不正紙枚数を表示する印刷枚数表示部とを有することを特徴としている。
【００１１】
本発明の機械の稼動状況監視装置では、前記表示部は、前記初期画面から画面を切換えることで、２４時間のうちの所定時間を予め設定された所定分単位で表示すると共に、過去の停止内容を書き込み可能な編集画面を表示可能であることを特徴としている。
【００１２】
本発明の機械の稼動状況監視装置では、前記表示部は、前記初期画面から画面を切換えることで、所定期間における前記機械の稼働率を表示する稼働率表示画面を表示可能であることを特徴としている。
【発明の効果】
【００１３】
本発明の機械の稼動状況監視装置によれば、機械の稼動状況を１日単位の棒グラフとして表示可能な表示部と、機械から稼動内容の信号が入力可能な信号入力部と、オペレータにより停止内容を入力可能な操作入力部と、信号入力部により入力された稼動内容と操作入力部により入力された停止内容を表示部に表示させる制御部とを備え、制御部は、操作入力部により入力された停止内容を時間の経過に伴って継続表示する。従って、オペレータが、機械の停止中に操作入力部を用いて停止内容を入力すると、時間の経過に伴ってこの停止内容が表示部に継続して表示されることとなり、機械の停止後に停止内容を入力する必要がなくなり、停止内容の入力作業を簡素化して高精度に機械の稼動状況を監視することができる。
【００１４】
本発明の機械の稼動状況監視装置によれば、制御部は、操作入力部により入力された停止内容を時間の経過に伴って継続表示するとき、信号入力部に機械からの稼動内容の信号が入力されると、停止内容の表示から稼動内容の表示に切換えるので、オペレータは、停止内容の表示停止操作をする必要がなく、作業性を向上することができる。
【００１５】
本発明の機械の稼動状況監視装置によれば、表示部は、機械の稼動内容と停止内容を２４時間の棒グラフとして表示するので、オペレータは、１日の機械の稼動状況を一目で把握することができ、視認性を向上することができる。
【００１６】
本発明の機械の稼動状況監視装置によれば、表示部は、初期画面として、機械の稼動内容と停止内容を２４時間の棒グラフとして表示する稼動状況表示部と、操作入力部をタッチボタンとして表示する操作表示部と、正紙枚数と不正紙枚数を表示する印刷枚数表示部とを設けるので、１つの画面に、稼動状況表示部と操作表示部と印刷枚数表示部とを設けることで、操作性及び視認性を向上することができる。
【００１７】
本発明の機械の稼動状況監視装置によれば、表示部は、初期画面から画面を切換えることで、２４時間のうちの所定時間を予め設定された所定分単位で表示すると共に、過去の停止内容を書き込み可能な編集画面を表示可能であるので、停止内容を所定分単位で書き込み可能となり、停止内容の編集作業を容易に行うことで、作業性を向上することができる。
【００１８】
本発明の機械の稼動状況監視装置によれば、表示部は、初期画面から画面を切換えることで、所定期間における機械の稼働率を表示する稼働率表示画面を表示可能であるので、例えば、１日、１週間、１ヶ月単位の稼働率を容易に表示することができる。
【図面の簡単な説明】
【００１９】
【図１】図１は、本発明の一実施例に係る機械の稼動状況監視装置を表す概略構成図である。
【図２】図２は、本実施例の機械の稼動状況監視装置が適用されたオフセット枚葉印刷機を表す概略構成図である。
【図３】図３は、本実施例の機械の稼動状況監視装置におけるディスプレイの初期画面を表す概略図である。
【図４】図４は、本実施例の機械の稼動状況監視装置におけるディスプレイの編集画面を表す概略図である。
【図５】図５は、本実施例の機械の稼動状況監視装置におけるディスプレイの別の編集画面を表す概略図である。
【図６】図６は、本実施例の機械の稼動状況監視装置におけるディスプレイの切換画面を表す概略図である。
【図７】図７は、本実施例の機械の稼動状況監視装置におけるディスプレイの日報画面を表す概略図である。
【図８】図８は、本実施例の機械の稼動状況監視装置におけるディスプレイの週報画面を表す概略図である。
【図９】図９は、本実施例の機械の稼動状況監視装置におけるディスプレイの月報画面を表す概略図である。
【発明を実施するための形態】
【００２０】
以下に添付図面を参照して、本発明に係る機械の稼動状況監視装置の好適な実施例を詳細に説明する。なお、この実施例により本発明が限定されるものではない。
【実施例】
【００２１】
図１は、本発明の一実施例に係る機械の稼動状況監視装置を表す概略構成図、図２は、本実施例の機械の稼動状況監視装置が適用されたオフセット枚葉印刷機を表す概略構成図、図３は、本実施例の機械の稼動状況監視装置におけるディスプレイの初期画面を表す概略図、図４は、本実施例の機械の稼動状況監視装置におけるディスプレイの編集画面を表す概略図、図５は、本実施例の機械の稼動状況監視装置におけるディスプレイの別の編集画面を表す概略図、図６は、本実施例の機械の稼動状況監視装置におけるディスプレイの切換画面を表す概略図、図７は、本実施例の機械の稼動状況監視装置におけるディスプレイの日報画面を表す概略図、図８は、本実施例の機械の稼動状況監視装置におけるディスプレイの週報画面を表す概略図、図９は、本実施例の機械の稼動状況監視装置におけるディスプレイの月報画面を表す概略図である。
【００２２】
本実施例のオフセット枚葉印刷機は、図２に示すように、給紙部１１１と、裏面印刷部（先刷り印刷部）１１２と、表面印刷部（後刷り印刷部）１１３と、排紙部１１４とを有し、給紙部１１１と排紙部１１４との間に、裏面印刷部１１２と表面印刷部１１３とが連接部１１５により直列に連結されている。この場合、裏面印刷部１１２は、５つの印刷ユニット１１２ａ，１１２ｂ，１１２ｃ，１１２ｄ，１１２ｅにより構成され、表面印刷部１１３は、印刷ユニット１１３ａ，１１３ｂ，１１３ｃ，１１３ｄ，１１３ｅにより構成されている。
【００２３】
上述した構造の印刷機では、給紙部１１１から裏面印刷部１１２に印刷用紙（印刷シート）Ｓが供給されると、まず、この裏面印刷部１１２にて、５色のインキ（例えば、シアン、マゼンタ、イエロー、ブラック、ゴールド）が、印刷ユニットごとに、版胴及びブランケット胴を介して印刷面となる印刷用紙Ｓの裏面に対して転写される。その後、裏面に印刷が施された印刷用紙Ｓが連接部１１５により表面印刷部１１３に搬送される。そして、この表面印刷部１１３にて、前述した裏面印刷部１１２での印刷工程と同じように、５色のインキが、印刷ユニットごとに、版胴及びブランケット胴を介して印刷面となる印刷用紙Ｓの表面に対して転写される。そして、表裏に印刷が施された印刷用紙Ｓが、排紙部１１４にて排出される。即ち、この両面オフセット枚葉印刷機では、印刷用紙Ｓの裏面に印刷を施した後、この印刷用紙Ｓを反転させることなく、その印刷用紙Ｓの表面に印刷を施すことができる。
【００２４】
このように構成された本実施例のオフセット枚葉印刷機には、本実施例の機械(印刷機)の稼動状況監視装置が設けられている。本実施例の機械の稼動状況監視装置は、図１に示すように、コントローラ（制御部）１１に対して、表示部としてのディスプレイ１２が設けられ、このディスプレイ１２は、液晶ディスプレイであり、画面内部にタッチ式の操作入力部１３が一体に設けられている。また、コントローラ１１に対して、通信制御部（信号入力部）１４が設けられ、この通信制御部１４を介して上述したオフセット枚葉印刷機の印刷機制御部１５に通信可能となっている。更に、コントローラ１１に対して、各種データを記録するメモリ１６が設けられている。
【００２５】
また、コントローラ１１には、プリンタ出力部１７を介してプリンタ１８が接続されている。更に、コントローラ１１には、電源１９が設けられている。
【００２６】
ディスプレイ１２は、印刷機の稼動状況を１日単位の棒グラフとして表示可能となっている。通信制御部１４は、印刷機制御部１５から印刷機の稼動内容の信号を入力可能である。操作入力部１３は、オペレータにより印刷機の停止内容を入力可能である。メモリ１６は、印刷機制御部１５から通信制御部１４に入力した印刷機の稼動内容、オペレータにより操作入力部１３から入力された印刷機の停止内容、後述する印刷機の稼働率等を記憶する。なお、ここで、メモリ１６は、例えば、着脱式の記憶媒体（ＵＳＢメモリ、各種メモリカードなど）とすることが望ましい。
【００２７】
そして、コントローラ１１は、印刷機制御部１５から通信制御部１４に入力した印刷機の稼動内容とオペレータにより操作入力部１３から入力された印刷機の停止内容をディスプレイ１２に表示することができる。この場合、本実施例にて、コントローラ１１は、オペレータにより操作入力部１３から入力された停止内容は、時間の経過に伴って継続表示するようにしている。
【００２８】
また、本実施例では、コントローラ１１は、操作入力部１３により入力された停止内容を時間の経過に伴って継続表示するとき、通信制御部１４から印刷機の稼動内容の信号が入力されると、停止内容の表示からこの稼動内容の表示に切換える。
【００２９】
ここで、本実施例の機械の稼動状況監視装置におけるディスプレイ１２の構成を詳細に説明する。
【００３０】
ディスプレイ１２の初期画面（ホーム）は、図３に示すように、印刷機の稼動内容と停止内容を２４時間の棒グラフとして表示させる稼動状況表示部２１と、この印刷機の稼動内容及び停止内容を入力するためにタッチボタンとして表示する操作入力部（操作表示部）１３と、生産枚数（正紙枚数）とヤレ枚数（不正紙枚数）を表示する印刷枚数表示部２２とが表示されている。
【００３１】
稼動状況表示部２１は、１日の２４時間を１時間単位として６本の棒グラフにより表示し、その表示色に応じて印刷機の稼動内容と停止内容を表示する。この場合、現在の時間が時間バー２１ａとして表示され、時間の経過と共に移動している。操作入力部１３は、１０個の入力ボタンにより構成されている。即ち、稼動内容ボタンとして、本刷ボタン３１、試刷ボタン３２、空転ボタン３３、版交換ボタン３４、洗浄ボタン３５と、停止内容として、休憩ボタン３６、待ちボタン３７、準備ボタン３８、保守ボタン３９、故障ボタン４０が設けられている。
【００３２】
この本刷ボタン３１、試刷ボタン３２、空転ボタン３３、版交換ボタン３４、洗浄ボタン３５、休憩ボタン３６、待ちボタン３７、準備ボタン３８、保守ボタン３９、故障ボタン４０に対して、色別に表示する表示ランプ（青色、水色、緑色、薄緑色、青緑、黄色、桃色、赤色、朱色、茶色）３１ａ，３２ａ，３３ａ，３４ａ，３５ａ，３６ａ，３７ａ，３８ａ，３９ａ，４０ａが設けられている。そのため、稼動状況表示部２１の各棒グラフには、稼動内容または停止内容に応じた表示ランプが点灯することとなる。
【００３３】
そして、コントローラ１１は、印刷機が稼動しているとき、印刷機制御部１５から通信制御部１４を介して印刷機の稼動内容の信号（本刷信号、試刷信号、空転信号、版交換信号、洗浄信号）が入力されており、この稼動内容の信号に基づいて稼動状況表示部２１の各棒グラフに稼動内容に応じた表示ランプを自動的に点灯する。そして、印刷機が停止したときには、表示ランプを自動的に消灯する。
【００３４】
また、コントローラ１１は、印刷機が停止しているとき、オペレータから操作入力部１３により印刷機の停止内容の信号（休憩信号、待ち信号、準備信号、保守信号、故障信号）が入力可能となっており、この停止内容の信号に基づいて稼動状況表示部２１の各棒グラフに停止内容に応じた表示ランプを点灯する。そして、オペレータから操作入力部１３により印刷機の稼動内容の信号が再度入力されると、表示ランプを消灯する。
【００３５】
この場合、操作入力部１３として、本刷ボタン３１、試刷ボタン３２、空転ボタン３３、版交換ボタン３４、洗浄ボタン３５、休憩ボタン３６、待ちボタン３７、準備ボタン３８、保守ボタン３９、故障ボタン４０が設けられているものの、本刷ボタン３１、試刷ボタン３２、空転ボタン３３は操作不能となっている。即ち、印刷機における本刷表示、試刷表示、空転表示は、印刷機の稼動内容の信号（本刷信号、試刷信号、空転信号）により実行される。一方、印刷機における版交換表示、洗浄表示は、印刷機からの版交換信号、洗浄信号、または、操作入力部１３の版交換ボタン３４、洗浄ボタン３５により実行される。つまり、印刷機の版交換作業と洗浄作業は、印刷機制御部１５により自動的に行われる場合と、オペレータにより手動で行われる場合があるからである。
【００３６】
また、コントローラ１１は、印刷機が停止しているとき、上述したように、オペレータから操作入力部１３により印刷機の停止内容の信号（休憩信号、待ち信号、準備信号、保守信号、故障信号）が入力されると、この停止内容の信号に基づいて稼動状況表示部２１の各棒グラフに停止内容に応じた表示ランプを点灯する。この場合、コントローラ１１は、時間バー２１ａがある現在の表示位置に入力された種類の信号に応じた表示ランプを点灯する。そして、現在の表示位置に該当する表示ランプが点灯すると、時間の経過に伴ってこの表示ランプを継続して表示する。
【００３７】
そして、時間の経過に伴って停止内容の表示ランプが点灯した状態、つまり、棒グラフにて、停止内容の表示領域が延長されている状態で、印刷機制御部１５から通信制御部１４を介して印刷機の稼動内容の信号（本刷信号、試刷信号、空転信号、版交換信号、洗浄信号）が入力されると、稼動状況表示部２１の各棒グラフは、停止内容の表示ランプが消灯し、稼動内容の表示ランプが自動的に点灯するように切換わる。
【００３８】
なお、本刷とは、印刷機が印刷物を製品として印刷している状態である。試刷とは、色合わせなど印刷機が印刷物を試し刷り用として印刷している状態である。版交換とは、版胴に対して刷版を交換している状態である。洗浄とは、圧胴、ブランケット胴、各ローラのインキを洗浄している状態である。空転とは、上述した本刷、試刷、版交換、洗浄の他に胴及びローラを回転している状態である。
【００３９】
また、休憩とは、印刷機が停止すると共にオペレータが何も作業をしない状態である。待ちとは、資材（紙、インキ、水など）や刷版の製作及び手直しを待っている状態である。準備とは、紙サイズ調整、給紙または排紙パイルの昇降、インキ交換などを準備している状態である。保守とは、給油、清掃、ブランケット交換、ニップ調整、爪調整などメンテナンスを行っている状態である。故障とは、印刷機の各種部品が破損などして故障している状態である。
【００４０】
印刷枚数表示部２２は、印刷機により印刷された生産枚数（正紙枚数）とヤレ枚数（不正紙枚数）をデジタル表示する。この生産枚数とヤレ枚数は、その日に発生したそれぞれの枚数であり、コントローラ１１は、印刷機制御部１５から通信制御部１４を介して入力された信号に基づいて印刷枚数表示部２２に表示する。
【００４１】
また、ディスプレイ１２の初期画面には、その最上部に印刷機の型式を表示する型式表示部２３と、本日の年月日及び時間を表示する日時表示部２４が設けられている。更に、ディスプレイ１２の初期画面には、月日切換部２５が設けられている。この月日切換部２５は、前日表示ボタン４１と、後日表示ボタン４２と、本日表示ボタン４３とを有すると共に、表示日説明部４４が設けられている。前日表示ボタン４１を押すと、稼動状況表示部２１に前日の印刷機の稼動状況を表示することができ、後日表示ボタン４２を押すと、稼動状況表示部２１に後日の印刷機の稼動状況を表示することができ、本日表示ボタン４３を押すと、本日の印刷機の稼動状況を表示することができる。そして、表示日説明部４４は、稼動状況表示部２１に表示されている月日と共に、この表示された稼動状況が何日前のものであるかを表示することができる。
【００４２】
なお、ディスプレイ１２の初期画面には、データ書き込みボタン２６が設けられている。コントローラ１１は、入力データや演算データなどを定期的にメモリ１６に記憶しているが、１日の印刷作業が終了して電源スイッチをＯＦＦする前にこのデータ書き込みボタン２６を押すことで、メモリ１６への記憶漏れをなくすようにしている。
【００４３】
本実施例の機械の稼動状況監視装置は、電源の投入時に、ディスプレイ１２には、まず、初期画面（ホーム）が表示されるものの、この初期画面から、稼動状況表示部２１の表示内容を書き換える編集画面へ切換可能となっている。即ち、図３に示す初期画面にて、稼動状況表示部２１の棒グラフにおける表示内容を書き換える時間をタッチすると、図４に示す編集画面へ切換えることができる。
【００４４】
このディスプレイ１２の編集画面は、図４に示すように、印刷機の稼動内容と停止内容を３０分の棒グラフとして表示させる稼動状況編集部５１と、この印刷機の稼動内容及び停止内容を入力するためにタッチボタンとして表示する操作入力部５２とが表示されている。
【００４５】
稼動状況編集部５１は、３０分を１分単位として３本の棒グラフにより表示し、その表示色に応じて印刷機の稼動内容と停止内容を表示する。操作入力部５２は、初期画面の操作入力部１３と同様に、１０個の入力ボタンにより構成されている。即ち、稼動内容ボタンとして、本刷ボタン６１、試刷ボタン６２、空転ボタン６３、版交換ボタン６４、洗浄ボタン６５と、停止内容として、休憩ボタン６６、待ちボタン６７、準備ボタン６８、保守ボタン６９、故障ボタン７０が設けられている。
【００４６】
この本刷ボタン６１、試刷ボタン６２、空転ボタン６３、版交換ボタン６４、洗浄ボタン６５、休憩ボタン６６、待ちボタン６７、準備ボタン６８、保守ボタン６９、故障ボタン７０に対して、色別に表示する表示ランプ（青色、水色、緑色、薄緑色、青緑、黄色、桃色、赤色、朱色、茶色）６１ａ，６２ａ，６３ａ，６４ａ，６５ａ，６６ａ，６７ａ，６８ａ，６９ａ，７０ａが設けられている。そのため、稼動状況編集部５１の各棒グラフには、稼動内容または停止内容に応じた表示ランプが点灯することとなる。
【００４７】
そして、コントローラ１１は、初期画面の稼動状況表示部２１に表示されたものと同様の表示ランプがこの稼動状況編集部５１の各棒グラフに表示する。そして、この稼動状況編集部５１にて、印刷機の稼動内容（本刷、試刷、空転、版交換、洗浄）は表示されているものの、印刷機の停止内容（休憩、待ち、準備、保守、故障）は、空欄として表示されているとき、オペレータは、この空欄を選択して印刷機の停止内容を入力する。
【００４８】
例えば、１３：３０から４マス分だけ空欄であるとき、オペレータがこの空欄の４マスをタッチしてから、休憩ボタン６６を押すと、空欄の４マスを休憩表示に変更することができる。
【００４９】
また、ディスプレイ１２の編集画面には、その最上部にこの編集画面に表示した印刷機の稼動年月日を表示する日時表示部５３が設けられている。更に、ディスプレイ１２の編集画面には、時間帯切換部５４が設けられている。この時間帯切換部５４は、前時間表示ボタン５４ａと、後時間表示ボタン５４ｂとを有している。前時間表示ボタン５４ａを押すと、現在表示している時間帯の前の３０分の時間帯を表示することができ、後時間表示ボタン５４ｂを押すと、現在表示している時間帯の後の３０分の時間帯を表示することができる。
【００５０】
また、ディスプレイ１２の編集画面には、データ書き込みボタン５５と、データ削除ボタン５６が設けられている。稼動状況編集部５１にて、オペレータが空欄のマスをタッチして選択し、各種のボタン６１〜７０を押した後、このデータ書き込みボタン５５を押すと、変更したデータをメモリ１６へ記憶させることができる。また、オペレータが既に表示されたマスをタッチして選択し、このデータ削除ボタン５６を押すと、選択したマスの表示を削除して空欄とすることができる。
【００５１】
更に、ディスプレイ１２の編集画面には、稼動状況編集部５１に表示されている全てのマスを選択可能な全選択ボタン５７と、全てのマスが選択されたときにこれを解除可能な全選択解除ボタン５８が設けられている。
【００５２】
また、ディスプレイ１２の編集画面には、選択単位切換えボタン５９が設けられている。この選択単位切換えボタン５９は、オペレータにより選択単位を変更するものであり、図４に示す稼動状況編集部５１では、オペレータは、上述したように、１マスを１分単位で選択することができる。一方、この選択単位切換えボタン５９を押すと、図５に示すように、稼動状況編集部５１における棒グラフに隣接した切換ランプ５９ａが点灯し、稼動状況編集部５１にて、オペレータは、１５マスを１５分単位で選択することができる。つまり、切換ランプ５９ａが点灯している側のマスをタッチすれば、前半の１５分を選択することができ、切換ランプ５９ａが点灯していない側のマスをタッチすれば、後半の１５分を選択することができる。
【００５３】
なお、ディスプレイ１２の編集画面には、初期画面に切換えるホームボタン６０が設けられている。
【００５４】
本実施例の機械の稼動状況監視装置は、電源の投入時に、ディスプレイ１２には、まず、初期画面（ホーム）が表示されるものの、この初期画面から稼働率表示画面へ切換え可能となっている。即ち、ディスプレイ１２の初期画面には、切換ボタン２７が設けられており、この切換ボタン２７を押すと、図６に示すように、初期画面の一部に切換画面が立ち上がる。ディスプレイ１２の切換画面には、初期画面へ切換えるホームボタン７１、日報ボタン７２、週報ボタン７３、月報ボタン７４、３１日ボタン７４ａ、印刷ボタン７５、メンテナンスボタン７６が設けられている。
【００５５】
ホームボタン７１は、この切換画面を消して初期画面を表示するものである。日報ボタン７２、週報ボタン７３、月報ボタン７４、３１日ボタン７４ａは、後述するが、印刷機における１日の稼働率、１週間の稼働率、１ヶ月の稼働率、３１日単位の稼働率を表示する画面に切換えて表示するものである。印刷ボタン７５は、表示されている画面（図６では、初期画面）の印刷を実行するものである。メンテナンスボタン７６は、図示しないが、メンテナンス画面を表示するものである。
【００５６】
稼働率表示画面は、所定期間における印刷機の稼働率を表示するものであり、この日報ボタン７２、週報ボタン７３、月報ボタン７４、３１日ボタン７４ａのいずれかを押すことで、１日の稼働率を表示する画面、１週間の稼働率を表示する画面、１ヶ月の稼働率を表示する画面、３１日単位の稼働率を表示する画面をそれぞれ表示することができる。この場合、印刷機の稼動状況は、メモリ１６に記憶されており、コントローラ１１は、このメモリ１６から該当するデータを読み出して表示する。
【００５７】
１日の稼働率を表示する画面を表示するディスプレイ１２の日報画面は、図７に示すように、右側に該当日の稼働率を表示し、左側に該当日の前日の稼働率を表示することで、当日の稼働率と前日の稼働率を１画面で対比して表示することができる。即ち、画面の上側に、該当日８１ａ及び該当日の前日８１ｂ、生産枚数８２ａ，８２ｂ、ヤレ枚数８３ａ，８３ｂ、合計時間８４ａ，８４ｂが表示されると共に、その日の稼働率が円グラフ８５ａ，８５ｂにより表示され、画面の下側に、稼働率及び時間が数値により一覧表８６ａ，８６ｂとして表示される。この場合、印刷機の稼動内容（本刷、試刷、空転、版交換、洗浄）及び停止内容（休憩、待ち、準備、保守、故障）に応じた表示色は、初期画面で表示するものと同様のものとなっている。
【００５８】
また、ディスプレイ１２の日報画面の右側には、前日表示ボタン８７と、後日表示ボタン８８と、本日表示ボタン８９が設けられている。前日表示ボタン８７を押すと、現在表示されている該当日の前日の印刷機の稼動率を表示することができ、後日表示ボタン８８を押すと、現在表示されている該当日の後日の印刷機の稼動率を表示することができ、本日表示ボタン８９を押すと、本日の印刷機の稼動率を表示することができる。
【００５９】
また、１週間の稼働率を表示する画面を表示するディスプレイ１２の週報画面は、図８に示すように、右側に該当週の稼働率を表示し、左側に該当週の前週の稼働率を表示することで、今週の稼働率と前週の稼働率を１画面で対比して表示することができる。即ち、画面の上側に、該当週（期間）９１ａ及び該当週（期間）の前週（期間）９１ｂ、生産枚数９２ａ，９２ｂ、ヤレ枚数９３ａ，９３ｂ、合計時間９４ａ，９４ｂが表示されると共に、その週の稼働率が円グラフ９５ａ，９５ｂにより表示され、画面の下側に、稼働率及び時間が数値により一覧表９６ａ，９６ｂとして表示される。この場合、印刷機の稼動内容（本刷、試刷、空転、版交換、洗浄）及び停止内容（休憩、待ち、準備、保守、故障）に応じた表示色は、初期画面で表示するものと同様のものとなっている。
【００６０】
また、ディスプレイ１２の週報画面の右側には、前週表示ボタン９７と、後週表示ボタン９８と、今週表示ボタン９９が設けられている。前週表示ボタン９７を押すと、現在表示されている該当週の前週の印刷機の稼動率を表示することができ、後週表示ボタン９８を押すと、現在表示されている該当週の後週の印刷機の稼動率を表示することができ、今週表示ボタン９９を押すと、今週の印刷機の稼動率を表示することができる。
【００６１】
更に、１ヶ月の稼働率を表示する画面を表示するディスプレイ１２の月報画面は、図９に示すように、右側に該当月の稼働率を表示し、左側に該当月の前週の稼働率を表示することで、今月の稼働率と前月の稼働率を１画面で対比して表示することができる。即ち、画面の上側に、該当月１０１ａ及び該当月の前月１０１ｂ、生産枚数１０２ａ，１０２ｂ、ヤレ枚数１０３ａ，１０３ｂ、合計時間１０４ａ，１０４ｂが表示されると共に、その月の稼働率が円グラフ１０５ａ，１０５ｂにより表示され、画面の下側に、稼働率及び時間が数値により一覧表１０６ａ，１０６ｂとして表示される。この場合、印刷機の稼動内容（本刷、試刷、空転、版交換、洗浄）及び停止内容（休憩、待ち、準備、保守、故障）に応じた表示色は、初期画面で表示するものと同様のものとなっている。
【００６２】
このディスプレイ１２の月報画面は、１ヶ月間の印刷機の稼働率であるが、３１日ボタン７４ａを押すことで、３１日間の印刷機の稼働率を表示することができる。この場合、該当月１０１ａ及び該当月の前月１０１ｂの表示は、該当期間及び該当期間の前期間の表示となる。
【００６３】
なお、本実施例の機械の稼動状況監視装置は、コントローラ１１とディスプレイ１２と操作入力部１３と通信制御部１４とメモリ１６（着脱式）とプリンタ出力部１７と電源１９が一体に設けられたものであり、オペレータが持ち運びやすい大きさ、つまり、ディスプレイ１２の大きさに設定されている。この稼動状況監視装置は、通常、印刷機の操作パネルの近傍に配置されている。この場合、ディスプレイ１２は、例えば、３２０ドット×２４０ドットの表示形式を採用し、本刷ボタン３１、試刷ボタン３２、空転ボタン３３、版交換ボタン３４、洗浄ボタン３５、休憩ボタン３６、待ちボタン３７、準備ボタン３８、保守ボタン３９、故障ボタン４０は、４５ｍｍ×２７ｍｍの大きさを採用している。そのため、指先の大きなオペレータであっても、各種のボタンを容易に操作することができる。
【００６４】
ここで、本実施例の機械の稼動状況監視装置の使用方法について説明する。
【００６５】
オペレータがディスプレイ１２に設けられた図示しない印刷機の電源スイッチをＯＮすると、このディスプレイには、図３に示す初期画面（ホーム）が表示され、型式表示部２３に使用する印刷機の型式が表示されると共に、日時表示部２４に本日の年月日及び時間が表示される。この場合、印刷機が稼動していなければ、稼動状況表示部２１は全て空欄として表示される。
【００６６】
印刷機が稼動すると、印刷機制御部１５から通信制御部１４を介してコントローラ１１に印刷機の稼動内容の信号（本刷信号、試刷信号、空転信号、版交換信号、洗浄信号）が入力され、初期画面の稼動状況表示部２１の各棒グラフに稼動内容に応じた表示ランプが自動的に点灯する。このとき、印刷枚数表示部２２には、生産枚数とヤレ枚数が表示される。
【００６７】
印刷機が稼動している状況では、印刷機制御部１５からコントローラ１１に印刷機の稼動内容の信号が入力されることで、稼動状況表示部２１（棒グラフ）の空欄は、稼動内容（本刷、試刷、空転、版交換、洗浄）に応じた表示ランプが継続して点灯する。一方、印刷機が停止すると、印刷機制御部１５からコントローラ１１へ入力される稼動内容の信号が途絶えることで、稼動状況表示部２１（棒グラフ）は空欄となる。このとき、オペレータは、印刷機の停止要因を把握し、操作入力部１３により印刷機の停止内容の信号（休憩信号、待ち信号、準備信号、保守信号、故障信号）を入力する。すると、コントローラ１１は、操作入力部１３から入力された停止内容の信号に基づいて稼動状況表示部２１の各棒グラフに停止内容に応じた表示ランプを点灯する。このとき、稼動状況表示部２１には、時間バー２１ａが時間の経過と共に移動しており、この時間バー２１ａを基点として入力された停止内容の表示ランプが点灯し、継続して表示される。
【００６８】
そして、時間の経過に伴って、稼動状況表示部２１の棒グラフにて、停止内容の表示領域が延長されている状態で、印刷機が稼動し始めると、コントローラ１１に印刷機制御部１５から通信制御部１４を介して印刷機の稼動内容の信号が入力される。すると、稼動状況表示部２１の各棒グラフは、停止内容の表示ランプが消灯し、稼動内容の表示ランプが自動的に点灯する。このように稼動状況表示部２１には、印刷機の稼動内容及び停止内容が表示されることとなる。
【００６９】
ところで、印刷機が停止したとき、オペレータが印刷機の停止要因を把握できないとき、操作入力部１３により印刷機の停止内容の信号（休憩信号、待ち信号、準備信号、保守信号、故障信号）を入力することができず、稼動状況表示部２１（棒グラフ）は空欄となる。この場合、ディスプレイ１２を初期画面（ホーム）から編集画面へ切換えることで、稼動状況表示部２１を編集する。
【００７０】
ディスプレイ１２の初期画面にて、オペレータは、稼動状況表示部２１の棒グラフにおける表示内容を編集する時間をタッチすると、図４に示す編集画面へ切換えられる。この編集画面にて、図４に示すように、オペレータは、まず、指で稼動状況編集部５１の棒グラフのうち、編集する空欄のマスをタッチして選択し、続いて、操作入力部５２の休憩ボタン６６、待ちボタン６７、準備ボタン６８、保守ボタン６９、故障ボタン７０のいずれかを押すと、選択したマスが休憩表示、待ち表示、準備表示、保守表示、故障表示のいずれかに変更される。
【００７１】
このとき、時間帯切換部５４における前時間表示ボタン５４ａや後時間表示ボタン５４ｂを押すことで、稼動状況編集部５１に表示されている時間帯の前後の時間帯を表示し、複数の時間帯を継続して編集することができる。そして、最後に、データ書き込みボタン５５を押すことで、変更したデータをメモリ１６へ記憶させる。オペレータは、編集作業が終了したら、ホームボタン６０を押すと、ディスプレイ１２は、編集画面から初期画面に切換えられる。
【００７２】
また、ディスプレイ１２の初期画面にて、図３に示すように、月日切換部２５における前日表示ボタン４１や後日表示ボタン４２を押すことで、稼動状況表示部２１に前日の印刷機の稼動状況や後日の印刷機の稼動状況を表示することができる。
【００７３】
更に、ディスプレイ１２の初期画面にて、図６に示すように、切換ボタン２７を押して切換画面を立ち上げ、日報ボタン７２、週報ボタン７３、月報ボタン７４、３１日ボタン７４ａを押すことで、印刷機における１日の稼働率、１週間の稼働率、１ヶ月の稼働率、３１日単位の稼働率をそれぞれ表示することができる。
【００７４】
このように本実施例の機械の稼動状況監視装置にあっては、印刷機の稼動状況を１日単位の棒グラフとして表示可能なディスプレイ１２と、印刷機から稼動内容の信号が入力可能な通信制御部１４と、オペレータにより停止内容を入力可能な操作入力部１３と、通信制御部１４により入力された稼動内容と操作入力部１３により入力された停止内容を表示部に表示させるコントローラ１１とを設け、コントローラ１１は、操作入力部１３により入力された停止内容を時間の経過に伴って継続表示している。
【００７５】
従って、オペレータが、印刷機の停止中に操作入力部１３を用いて停止内容を入力すると、時間の経過に伴ってこの停止内容がディスプレイ１２に継続して表示されることとなり、印刷機の停止後に停止内容を入力する必要がなくなり、停止内容の入力作業を簡素化して高精度に印刷機の稼動状況を監視することができる。
【００７６】
また、本実施例の機械の稼動状況監視装置では、コントローラ１１は、操作入力部１３により入力された停止内容を時間の経過に伴って継続表示するとき、通信制御部１４に印刷機からの稼動内容の信号が入力されると、停止内容の表示から稼動内容の表示に切換えている。従って、オペレータは、停止内容の表示停止操作をする必要がなく、作業性を向上することができる。
【００７７】
本実施例の機械の稼動状況監視装置では、ディスプレイ１２に、印刷機の稼動内容と停止内容を２４時間の棒グラフとして表示する稼動状況表示部２１を設けている。従って、オペレータは、１日の印刷機の稼動状況を一目で把握することができ、視認性を向上することができる。
【００７８】
本実施例の機械の稼動状況監視装置では、ディスプレイ１２に、初期画面として、印刷機の稼動内容と停止内容を２４時間の棒グラフとして表示する稼動状況表示部２１と、操作表示部としての機能を有するタッチボタンとして表示する操作入力部１３と、正紙枚数と不正紙枚数を表示する印刷枚数表示部２２とを設けている。従って、１つの画面に、稼動状況表示部２１と操作入力部１３と印刷枚数表示部２２とを設けることで、操作性及び視認性を向上することができる。
【００７９】
本実施例の機械の稼動状況監視装置では、ディスプレイ１２に、初期画面から画面を切換えることで、２４時間のうちの所定時間を予め設定された所定分単位で表示すると共に、過去の停止内容を書き込み可能な編集画面を表示可能としている。従って、停止内容を所定分単位で書き込み可能となり、停止内容の編集作業を容易に行うことで、作業性を向上することができる。
【００８０】
本実施例の機械の稼動状況監視装置では、ディスプレイ１２に、初期画面から画面を切換えることで、所定期間における機械の稼働率を表示する稼働率表示画面を表示可能としている。従って、例えば、１日、１週間、１ヶ月単位の稼働率を容易に表示することができる。
【００８１】
また、本実施例の機械の稼動状況監視装置では、ディスプレイ１２の初期画面に、稼動状況表示部２１と操作入力部１３と印刷枚数表示部２２を設け、編集画面や稼働率表示画面を切換えることで表示可能としている。従って、オペレータとして最低限必要な項目のみを初期画面に表示することで、ディスプレイ１２の視認性を向上し、印刷機の稼動状況の監視を容易に行うことができる。
【００８２】
なお、上述した実施例では、本発明の機械の稼動状況監視装置をオフセット枚葉印刷機に適用して説明したが、商業用オフセット輪転印刷機や新聞用オフセット輪転印刷機に適用することもできる。また、ディスプレイにおける稼動状況表示部、操作入力部、印刷枚数表示部などの配置や稼動内容と停止内容を入力するためにボタンの配置などは、本実施例に限定されるものではなく、適宜設定すればよいものである。
【００８３】
本発明の機械の稼動状況監視装置を商業用オフセット枚葉印刷機に適用した場合、コントローラのディスプレイの初期画面（ホーム）には、同様に、印刷機の稼動内容と停止内容を２４時間の棒グラフとして表示させる稼動状況表示部と、この印刷機の稼動内容及び停止内容を入力するためにタッチボタンとして表示する操作入力部（操作表示部）と、生産枚数（正紙枚数）とヤレ枚数（不正紙枚数）を表示する印刷枚数表示部とが表示される。そして、操作入力部には、印刷機の稼動内容ボタンとして、本刷ボタン、調整空転ボタン、空転ボタン、版交換ボタン、ブラン洗浄ボタン、紙継ボタンと、停止内容として、断紙ボタン、折詰りボタン、故障ボタン、休憩ボタンが設けられる。
【００８４】
この場合、本刷とは、印刷機が印刷物を製品として印刷している状態である。調整空転とは、色合わせなど印刷機が印刷物を試し刷り用として印刷している状態である。版交換とは、版胴に対して刷版を交換している状態である。洗浄とは、１つのジョブ（１種類の印刷作業）を変更するごとにブランケット胴のインキを洗浄している状態である。空転とは、上述した本刷、調整空転、版交換、洗浄の他に胴及びローラを回転している状態である。紙継とは、ペースタを用いて紙継ぎを行っている状態である。断紙とは、ウェブが切れて（断紙）している状態である。
【００８５】
また、折詰りとは、折機でウェブが詰まっている状態である。故障とは、印刷機の各種部品が破損などして故障している状態である。保守とは、給油、清掃、ブランケット交換、ニップ調整、爪調整などメンテナンスを行っている状態である。
【００８６】
そして、コントローラは、印刷機が稼動しているとき、印刷機の稼動内容の信号（本刷信号、調整空転信号、空転信号、版交換信号、ブラン洗浄信号、紙継信号）が入力され、この稼動内容の信号に基づいて稼動状況表示部の各棒グラフに稼動内容に応じた表示ランプを自動的に点灯する。また、コントローラは、印刷機が停止しているとき、印刷機の停止内容の信号（断紙信号、折詰り信号）が入力可能となっており、この停止内容の信号に基づいて稼動状況表示部の各棒グラフに停止内容に応じた表示ランプを点灯する。また、コントローラは、印刷機が停止しているとき、オペレータから印刷機の停止内容の信号（故障信号、休憩信号）が入力可能となっており、この停止内容の信号に基づいて稼動状況表示部の各棒グラフに停止内容に応じた表示ランプを点灯する。なお、印刷機の停止内容の信号（断紙信号、折詰り信号）をオペレータが入力可能としてもよい。
【００８７】
また、上述した実施例では、本発明の機械の稼動状況監視装置を印刷機に適用したが、他の機械に適用することもできる。
【産業上の利用可能性】
【００８８】
本発明に係る機械の稼動状況監視装置は、操作入力部により入力された停止内容を時間の経過に伴って継続表示することで、停止内容の入力作業を簡素化して高精度に機械の稼動状況を監視可能とするものであり、いずれの機械にも適用することができる。
【符号の説明】
【００８９】
１１  コントローラ（制御部）
１２  ディスプレイ（表示部）
１３  操作入力部（操作表示部）
１４  通信制御部（信号入力部）
１５  印刷機制御部
１６  メモリ
１７  プリンタ出力部
１８  プリンタ
１９  電源
２１  稼動状況表示部
２２  印刷枚数表示部
２５  月日切換部
２６  データ書き込みボタン
２７  切換ボタン
３１  本刷ボタン
３２  試刷ボタン
３３  空転ボタン
３４  版交換ボタン
３５  洗浄ボタン
３６  休憩ボタン
３７  待ちボタン
３８  準備ボタン
３９  保守ボタン
４０  故障ボタン
７１  ホームボタン
７２  日報ボタン
７３  週報ボタン
７４  月報ボタン
【図１】
2010221423.tif 000003
【図２】
2010221423.tif 000004
【図３】
2010221423.tif 000005
【図４】
2010221423.tif 000006
【図５】
2010221423.tif 000007
【図６】
2010221423.tif 000008
【図７】
2010221423.tif 000009
【図８】
2010221423.tif 000010
【図９】
2010221423.tif 000011